(57)【要約】【課題】コンクリート打設時にアンカーボルトの所定の位置に容易に埋設固定出来るとともに脱枠作業等においても対応が容易に出来るアンカーボルト埋設用部材および埋設固定方法を提供することを目的とする。【解決手段】主要部が、長尺状で略中央と両側に孔有した板状部材２とアンカーボルトが接して貫通出来るとともにスリット部と外部側に鍔状部位とこの両側にネジ山部を有したアンカーボルト貫通部材３と該部材３に嵌合しねじ込むことが出来るナット状部材４並びに板状部材２とからなり、板状部材２およびアンカーボルト貫通部材３ならびにナット状部材４とアンカーボルト５を緊結しアンカーボルト５の埋設位置に配置し板状部材２とこれに接する型枠部材６の着設部位６ａとを釘またはネジ等８により緊結させてコンクリート７を打設しアンカーボルト５を目的位置に埋設固定することが出来る様にする。【選択図】　　　　図５
2004060323.tif 000002
【特許請求の範囲】
【請求項１】
布状コンクリート躯体の上面に配設されるアンカーボルトのコンクリート打設時の埋設固定に供する部材で、主要部が、長尺状で略中央に内面にネジ山部が施された孔部を有するとともに中心から略対称の位置に釘またはネジ等により型枠部材への留め付け用の孔を有した板状部材、および、該部材の中央の孔部に嵌合出来る部材で略筒状をなし一方の端部から中央にかけてスリット部が施されていて該スリット部の略範囲内の外部側にはネジ山部を有するとともにスリット部と反対側の縁部近傍には板状部材の中央の孔部に嵌合出来るネジ山を有し更には前記両ネジ山部の間に本部材を板状部材にねじ込むための鍔状部位を有していて内部をアンカーボルトが接して貫通出来るアンカーボルト貫通部材、ならびに、該部材のスリット部側のネジ山部に嵌合しねじ込むことが出来るナット状部材からなり、板状部材の中央の孔部にアンカーボルト貫通部材をねじ込むとともにアンカーボルト貫通部材にアンカーボルトを貫通させナット状部材をねじ込むことにより板状部材およびアンカーボルト貫通部材ならびにナット状部材とアンカーボルトが緊結出来る様にしたことを特徴とするアンカーボルト埋設用部材。
【請求項２】
前述のアンカーボルト埋設用部材の板状部材の上面の長手方向の縁部の少なくとも一方の縁部に寸法を計測出来る目盛りが施されたことを特徴とする請求項１に記載のアンカーボルト埋設用部材。
【請求項３】
請求項１または請求項２に記載のアンカーボルト埋設用部材を用いて、板状部材およびアンカーボルト貫通部材ならびにナット状部材とアンカーボルトを緊結してアンカーボルトの埋設位置に配設し釘またはネジ等により板状部材と型枠部材を留め付けてコンクリートを打設し固化させてアンカーボルトを目的位置に埋設固定することが出来る様にしたことを特徴とするコンクリート躯体へのアンカーボルト埋設固定方法。
【発明の詳細な説明】
【０００１】
【発明の属する技術分野】
本発明は、主に戸建て住宅の基礎の立ち上がり等の布状コンクリート躯体の天端にアンカーボルトを埋設固定する場合で木製板および角材等による型枠を用いてコンクリート打設を行う場合において、コンクリート打設時のアンカーボルトの埋設固定に供するアンカーボルト埋設用部材およびコンクリート躯体へのアンカーボルト埋設固定方法に関する。
【０００２】
【従来の技術】
近年においては、大地震等の被害の反省から基礎の強度と精度に対する認識が深まって来つつあるが、コンクリート打設のための型枠は合板と角材等を用いて施工するのが未だ一般的で寸法精度は良くなくて、例えば、戸建て住宅の基礎の立ち上がり等の布状コンクリート部の天端にアンカーボルトを埋設固定する場合おいては短い角材に孔を開けてアンカーボルトを該孔に挿入して前記角材を型枠に打ち付けて吊るすことにより対応するのが一般的でありアンカーボルトの埋設位置の精度は良くなくアンカーボルトおよび鉄筋のコンクリートの被り厚さをないがしろにして土台部材の締結強度にも影響する様な例もまだ多く見受けられ、アンカーボルトの埋設固定についての精度の向上への努力は余り図られていない様に見受けられる。これは、アンカーボルトの埋設固定のための位置決め固定等に対する適切な方策が未だ提供されていないことも一因であり、コンクリート打設時にアンカーボルトの所定の位置に容易に埋設固定出来るとともに脱枠作業等においても対応が容易に出来る方策の提案が望まれている。
【０００３】
【発明が解決しようとする課題】
本発明は、前述の従来技術に鑑みてなされたもので、主に合板と角材等による型枠を用いてコンクリート打設を行う場合において、コンクリート打設時にアンカーボルトの所定の位置に容易に埋設固定出来るとともに脱枠作業等においても対応が容易に出来るアンカーボルト埋設用部材およびコンクリート躯体へのアンカーボルト埋設固定方法を提供することを目的とする。
【０００４】
【課題を解決するための手段】
前記の目的を達成するため、本発明のアンカーボルト埋設用部材は、布状コンクリート躯体の上面に配設されるアンカーボルトのコンクリート打設時の埋設固定に供する部材で、主要部が、長尺状で略中央に内面にネジ山部が施された孔部を有するとともに中心から略対称の位置に釘またはネジ等により型枠部材への留め付け用の孔を有した板状部材、および、該部材の中央の孔部に嵌合出来る部材で略筒状をなし一方の端部から中央にかけてスリット部が施されていて該スリット部の略範囲内の外部側にはネジ山部を有するとともにスリット部と反対側の縁部近傍には板状部材の中央の孔部に嵌合出来るネジ山を有し更には前記両ネジ山部の間に本部材を板状部材にねじ込むための鍔状部位を有していて内部をアンカーボルトが接して貫通出来るアンカーボルト貫通部材、ならびに、該部材のスリット部側のネジ山部に嵌合しねじ込むことが出来るナット状部材からなり、板状部材の中央の孔部にアンカーボルト貫通部材をねじ込むとともにアンカーボルト貫通部材にアンカーボルトを貫通させナット状部材をねじ込むことにより板状部材およびアンカーボルト貫通部材ならびにナット状部材とアンカーボルトが緊結出来る様にしたことを特徴とし、付加して、板状部材の上面の長手方向の縁部の少なくとも一方の縁部に寸法を計測出来る目盛りが施されたことを特徴としている。そして、本発明のコンクリート躯体へのアンカーボルト埋設固定方法は、前記アンカーボルト埋設用部材を用いて、板状部材およびアンカーボルト貫通部材ならびにナット状部材とアンカーボルトを緊結してアンカーボルトの埋設位置に配設し釘またはネジ等により板状部材と型枠部材を留め付けてコンクリートを打設し固化させてアンカーボルトを目的位置に埋設固定することが出来る様にしたことを特徴とする。
【０００５】
【発明の実施の形態】
本発明のアンカーボルト埋設用部材およびコンクリート躯体へのアンカーボルト埋設固定方法の実施の形態を図面を参照して説明する。図１は本発明のアンカーボルト埋設用部材の一形状例を示す図であり、Ａ図は平面図、Ｂ図は断面図である。図２は本発明のアンカーボルト埋設用部材の板状部材の形状例を示し、Ａ図は平面図、Ｂ図は断面図である。図３は本発明のアンカーボルト埋設用部材のアンカーボルト貫通部材、ナット状部材の形状例を示し、Ａ〜Ｂ図は平面図、Ｃ〜Ｄ図である。図４は本発明のアンカーボルト埋設用部材とアンカーボルトを組み付けた状態例を示す断面図である。図５は本発明のアンカーボルト埋設用部材とアンカーボルトを組み付けて型枠部材に留め付けコンクリートを打設した状態例を示す断面図である。
【０００６】
本発明のアンカーボルト埋設用部材１は、例えば、図１〜３に示す様に、主要部が、長尺状で略中央に孔部２ａを有するとともに該孔部２ａを中心とし略対称の位置に釘またはネジ等により型枠部材への留め付け用の孔２ｂを有した板状部材２および該部材２の中央の孔部２ａに嵌合出来る部材でアンカーボルトが接して貫通出来る孔３ａを有するとともにスリット部３ｂとネジ山部３ｃ、３ｄならびに鍔状部位３ｅを有したアンカーボルト貫通部材３ならびに該部材３のネジ山部３ｃに嵌合しねじ込むことが出来るナット状部材４からなり、図４に示す様に、板状部材２の中央の孔部２ａにアンカーボルト貫通部材３をねじ込むとともにアンカーボルト貫通部材３にアンカーボルト５を貫通させナット状部材４をねじ込むことにより板状部材２およびアンカーボルト貫通部材３ならびにナット状部材４とアンカーボルト５が緊結出来る様にしたことを特徴とし、付加して、図２に示す様に、板状部材２の上面の長手方向の縁部の少なくとも一方の縁部に寸法を計測出来る目盛り２ｃが施されていることを特徴としている。
【０００７】
本発明のコンクリート躯体へのアンカーボルト埋設固定方法は、アンカーボルト埋設用部材１を用いて、図４に示す様に、板状部材２およびアンカーボルト貫通部材３ならびにナット状部材４とアンカーボルト５を緊結して、図５に示す様に、アンカーボルト５の埋設位置に配設し板状部材２とこれに接するコンクリート打設用の型枠部材６の着接部位６ａとを釘またはネジ等８により固着させてコンクリート７を打接し固化させてアンカーボルト５を目的位置に埋設固定することが出来る様にしたことを特徴としている。以下、アンカーボルト埋設用部材１の各部材および部位の特記すべき詳細について説明する。
【０００８】
板状部材２は、材質としては、例えば、鉄、ステンレス、アルミ等の金属、または、硬質ポリエチレン、ポリプロピレン、アクリル、ポリカーボネート、塩化ビニル等の硬質プラスチックの単体または複合材が用いられるが、コンクリート打設時等の衝撃や脱枠時の解体を円滑にすること等を勘案すると、鉄またはステンレス等の高強度の金属のものが好ましい。そして、前記例以外の材質のものでも本発明の目的を達成出来うる強度および耐久性等の性能を有する限り限定されない。また、アンカーボルトの配設位置の確認のために中央部にスリット部２ｄを設けることも好ましい。
【０００９】
アンカーボルト貫通部材３は、材質としては、例えば、硬質ポリエチレン、ポリプロピレン、アクリル、ポリカーボネート、塩化ビニル等の硬質プラスチックの単体または複合材、または、鉄、ステンレス、アルミ等の金属が用いられるが、アンカーボルトのネジ山の損傷の恐れ等を勘案すると硬質プラスチックの方が好ましく、前記例以外の材質のものでも本発明の目的を達成出来うる強度および耐久性等の性能を有する限り限定されない。そして、該部材３の各部位の寸法についてはアンカーボルトの形状寸法および必要とされるアンカーボルトの保持強度ならびにナット状部材４の材質および形状等を勘案して適宜設定される。また、スリット部３ｂのスリット幅は略ネジ山の高さを目処に設定される。そして、スリット部３ｂの範囲の筒形状は先端に向けて少し細めておくことがアンカーボルトの締め込みにおいて好ましい。また、ネジ山部３ｃの形状はナット状部材４のネジ山形状と連関させて設定され、ネジ山部３ｄの板状部材２のネジ山形状と連関させて設定される。
【００１０】
ナット状部材４は、材質としては、例えば、鉄、ステンレス、アルミ等の金属、または、硬質ポリエチレン、ポリプロピレン、アクリル、ポリカーボネート、塩化ビニル等の硬質プラスチックの単体または複合材が用いられるが、コンクリート打設時等の衝撃や脱枠時の解体を円滑にすること等を勘案すると、鉄またはステンレス等の高強度の金属のものが好ましい。そして、該部材４の各部位の寸法についてはアンカーボルト貫通部材３のネジ山部３ｃの形状寸法と連関して設定され、市販の六角ナットを用いることも出来る。
【００１１】
【発明の効果】
本発明によれば、主に戸建て住宅の基礎の立ち上がり等の布状コンクリート躯体の天端にアンカーボルトを埋設固定する場合で合板と角材等による型枠を用いてコンクリート打設を行う場合において、コンクリート打設時にアンカーボルトの所定の位置に容易に埋設固定出来るとともに脱枠作業等においても対応が容易に出来る様になるためにアンカーボルトの配設精度を高めることに貢献しうるとともに施工の合理化にも寄与出来うる。
【図面の簡単な説明】
【図１】本発明のアンカーボルト埋設用部材の一形状例を示す図であり、Ａ図は平面図、Ｂ図は断面図である。
【図２】本発明のアンカーボルト埋設用部材の板状部材の一形状例を示し、Ａ図は平面図、Ｂ図は断面図である。
【図３】本発明のアンカーボルト埋設用部材のアンカーボルト貫通部材、ナット状部材の形状例を示し、Ａ〜Ｂ図は平面図、Ｃ〜Ｄは断面図である。
【図４】本発明のアンカーボルト埋設用部材とアンカーボルトを組み付けた状態例を示す断面図である。
【図５】本発明のアンカーボルト埋設用部材とアンカーボルトを組み付けて型枠部材に留め付けコンクリートを打設した状態例を示す断面図である。
【符号の説明】
１　；本発明のアンカーボルト埋設用部材
２　；板状部材
２ａ；板状部材の略中央に内面にネジ山部が施された孔部
２ｂ；板状部材の中心から略対称の位置にある釘またはネジ等用の孔
２ｃ；板状部材の上面の長手方向の縁部の寸法を計測出来る目盛り
２ｄ；板状部材のスリット部
３　；アンカーボルト貫通部材
３ａ；アンカーボルト貫通部材のアンカーボルトが接して貫通出来る孔部
３ｂ；アンカーボルト貫通部材のスリット部
３ｃ；アンカーボルト貫通部材のスリット部の略範囲内の外部側のネジ山部
３ｄ；アンカーボルト貫通部材のスリット部の反対側の縁部近傍のネジ山部
３ｅ；アンカーボルト貫通部材の鍔状部位
４　；ナット状部材
５　；アンカーボルト
６　；型枠部材
６ａ；型枠部材の板状部材への着接部位
７　；コンクリート
８　；釘またはネジ等
【図１】
2004060323.tif 000003
【図２】
2004060323.tif 000004
【図３】
2004060323.tif 000005
【図４】
2004060323.tif 000006
【図５】
2004060323.tif 000007